(57)【要約】  【課題】  登録済みのウェブサイトにリンクした「登録名」を一覧表示する「お気に入り」をユーザの時間別、居所別等に応じた行動パターン，ウェブサイトへのアクセスパターン等に応じて自動的に分類可能にする。  【解決手段】  操作部１４が「お気に入り」の表示の指示を受け付けた場合に、計時部１５が計時している現在時刻が含まれる時間帯区分が時間帯区分テーブル１９１から読み出され、読み出された時間帯区分が対応付けられていることを検索条件として操作履歴ＤＢ１９４に記憶されているＵＲＬＩＤを検索し、検索結果として得られたＵＲＬＩＤに対応する登録名を「お気に入り」としてリスト表示する【選択図】      図１
2006134270.tif 000002
【特許請求の範囲】
【請求項１】
登録済みウェブサイトにアクセスするためのリンクを操作部の操作に応じて表示手段に一覧表示するインターネット端末装置において、
登録済みウェブサイトを記憶した登録済みウェブサイトリンク記憶手段と、
複数の時間帯区分の開始及び終了時刻を記憶した時間帯区分記憶手段と、
絶対時刻を計時する計時手段と、
前記登録済みウェブサイトリンク記憶手段に記憶されているリンクのいずれかが前記操作部の操作に応じて指定された場合に、前記計時手段が計時している時刻が含まれる時間帯区分を前記時間帯区分記憶手段から読み出す時間帯区分読出手段と、
該時間帯区分読出手段が読み出した時間帯区分と前記操作部の操作に応じて指定されたリンクとを対応付けて記憶する操作履歴記憶手段と、
リンクの一覧表示の指示を受け付ける受付手段と、
該受付手段が一覧表示の指示を受け付けた場合に、前記計時手段が計時している時刻が含まれる時間帯区分を前記時間帯区分記憶手段から読み出し、読み出した時間帯区分が対応付けられているリンクを前記操作履歴記憶手段に記憶されているリンクから抽出する検索手段と、
該検索手段により抽出されたリンクを前記表示手段に一覧表示する表示制御手段と
を備えたことを特徴とするインターネット端末装置。
【請求項２】
登録済みウェブサイトにアクセスするためのリンクを操作部の操作に応じて表示手段に一覧表示するインターネット端末装置において、
登録済みウェブサイトを記憶した登録済みウェブサイトリンク記憶手段と、
複数の位置区分の範囲を記憶した位置区分記憶手段と、
位置を検出する位置検出手段と、
前記登録済みウェブサイトリンク記憶手段に記憶されているリンクのいずれかが操作部の操作に応じて指定された場合に、前記位置検出手段が検出している位置が含まれる位置区分を前記位置区分記憶手段から読み出す位置区分読出手段と、
該位置区分読出手段が読み出した位置区分と前記操作部の操作に応じて指定されたリンクとを対応付けて記憶する操作履歴記憶手段と、
リンクの一覧表示の指示を受け付ける受付手段と、
該受付手段が一覧表示の指示を受け付けた場合に、前記位置検出手段が検出している位置が含まれる位置区分を前記位置区分記憶手段から読み出し、読み出した位置区分が対応付けられているリンクを前記操作履歴記憶手段に記憶されているリンクから抽出する検索手段と、
該検索手段により抽出されたリンクを前記表示手段に一覧表示する表示制御手段と
を備えたことを特徴とするインターネット端末装置。
【請求項３】
登録済みウェブサイトにアクセスするためのリンクを操作部の操作に応じて表示手段に一覧表示するインターネット端末装置において、
登録済みウェブサイトを記憶した登録済みウェブサイトリンク記憶手段と、
複数の時間帯区分の開始及び終了時刻を記憶した時間帯区分記憶手段と、
絶対時刻を計時する計時手段と、
複数位置区分の範囲を記憶した位置区分記憶手段と、
位置を検出する位置検出手段と、
前記登録済みウェブサイトリンク記憶手段に記憶されているリンクのいずれかが操作部の操作に応じて指定された場合に、前記計時手段が計時している時刻が含まれる時間帯区分を前記時間帯区分記憶手段から読み出す時間帯区分読出手段及び前記位置検出手段が計時している位置が含まれる位置区分を前記位置区分記憶手段から読み出す位置区分読出手段と、
前記時間帯区分読出手段が読み出した時間帯区分及び前記位置区分読出手段が読み出した位置区分と前記操作部の操作に応じて指定されたリンクとを対応付けて記憶する操作履歴記憶手段と、
リンクの一覧表示の指示を受け付ける受付手段と、
該受付手段が一覧表示の指示を受け付けた場合に、前記計時手段が計時している時刻が含まれる時間帯区分を前記時間帯区分記憶手段から読み出し、前記位置検出手段が検出している位置が含まれる位置区分を前記位置区分記憶手段から読み出し、読み出した時間帯区分及び読み出した位置区分が共に対応付けられているリンクを前記操作履歴記憶手段に記憶されているリンクから抽出する検索手段と、
該検索手段により抽出されたリンクを前記表示手段に一覧表示する表示制御手段と
を備えたことを特徴とするインターネット端末装置。
【請求項４】
前記検索手段は、同一リンクが抽出された回数を計数し、
前記表示制御手段は、前記検索手段が計数した回数の多い順にリンクを前記表示手段に一覧表示するようにしてあること
を特徴とする請求項１乃至３のいずれかに記載のインターネット端末装置。
【請求項５】
インターネット通信可能なコンピュータに、記憶装置に記憶されている登録済みウェブサイトにアクセスするためのリンクを操作部の操作に応じて表示手段に一覧表示させるコンピュータプログラムにおいて、
複数の時間帯区分の開始及び終了時刻を記憶装置に記憶させる手順と、
前記記憶装置に記憶されているリンクのいずれかが前記操作部の操作に応じて指定された場合に、計時手段が計時している時刻が含まれる時間帯区分を前記記憶装置から読み出す手順と、
読み出した時間帯区分と前記操作部の操作に応じて指定されたリンクとを対応付けて前記記憶装置に記憶させる手順と、
リンクの一覧表示の指示を受け付ける手順と、
一覧表示の指示を受け付けた場合に、前記計時手段が計時している時刻が含まれる時間帯区分を前記記憶装置から読み出し、読み出した時間帯区分が対応付けられているリンクを前記記憶装置に記憶されているリンクから抽出する手順と、
抽出されたリンクを前記表示手段に一覧表示させる手順と
をコンピュータに実行させることを特徴とするコンピュータプログラム。
【請求項６】
インターネット通信可能なコンピュータに、記憶装置に記憶されている登録済みウェブサイトにアクセスするためのリンクを操作部の操作に応じて表示手段に一覧表示させるコンピュータプログラムにおいて、
複数の位置区分の範囲を前記記憶装置に記憶させる手順と、
前記記憶装置に記憶されているリンクのいずれかが前記操作部の操作に応じて指定された場合に、位置検出手段が検出している位置が含まれる位置区分を前記記憶装置から読み出す手順と、
読み出した位置区分と前記操作部の操作に応じて指定されたリンクとを対応付けて前記記憶装置に記憶させる手順と、
リンクの一覧表示の指示を受け付ける手順と、
一覧表示の指示を受け付けた場合に、前記位置検出手段が検出している位置が含まれる位置区分を前記記憶装置から読み出し、読み出した位置区分が対応付けられているリンクを前記記憶装置に記憶されているリンクから抽出する手順と、
抽出されたリンクを前記表示手段に一覧表示させる手順と
をコンピュータに実行させることを特徴とするコンピュータプログラム。
【請求項７】
インターネット通信可能なコンピュータに、記憶装置に記憶されている登録済みウェブサイトにアクセスするためのリンクを操作部の操作に応じて表示手段に一覧表示させるコンピュータプログラムにおいて、
複数の時間帯区分の開始及び終了時刻を記憶装置に記憶させる手順と、
複数の位置区分の範囲を前記記憶装置に記憶させる手順と、
前記記憶装置に記憶されているリンクのいずれかが前記操作部の操作に応じて指定された場合に、計時手段が計時している時刻が含まれる時間帯区分を前記記憶装置から読み出し、位置検出手段が検出している位置が含まれる位置区分を前記記憶装置から読み出す手順と、
読み出した時間帯区分と読み出した位置区分と前記操作部の操作に応じて指定されたリンクとを対応付けて前記記憶装置に記憶させる手順と、
リンクの一覧表示の指示を受け付ける手順と、
一覧表示の指示を受け付けた場合に、前記計時手段が計時している時刻が含まれる時間帯区分を前記記憶装置から読み出し、前記位置検出手段が検出している位置が含まれる位置区分を前記記憶装置から読み出し、読み出した時間帯区分及び読み出した位置区分が共に対応付けられているリンクを前記記憶装置に記憶されているリンクから抽出する手順と、
抽出されたリンクを前記表示手段に一覧表示させる手順と
をコンピュータに実行させることを特徴とするコンピュータプログラム。
【請求項８】
前記抽出する手順は、同一リンクが抽出された回数を計数する手順を更に含み、
前記一覧表示させる手順は、計数回数の多い順にリンクを前記表示手段に一覧表示する手順を更に含むこと
を特徴とする請求項５乃至７のいずれかに記載のコンピュータプログラム。
【請求項９】
表示部及び操作部を備えた前記インターネット端末装置と、該インターネット端末装置とインターネット通信可能な中央装置とを含み、登録済みウェブサイトにアクセスするためのリンクを記憶した登録済みウェブサイトリンク記憶手段が記憶しているリンクを前記インターネット端末装置が備える前記操作部の操作に応じて前記表示手段に一覧表示する登録済みウェブサイトリンクの一覧表示システムにおいて、
複数の時間帯区分の開始及び終了時刻を記憶した時間帯区分記憶手段と、
時刻を計時する計時手段と、
前記登録済みウェブサイトリンク記憶手段に記憶されているリンクのいずれかが前記操作部の操作に応じて指定された場合に、前記計時手段が計時している時刻が含まれる時間帯区分を前記時間帯区分記憶手段から読み出す時間帯区分読出手段と、
該時間帯区分読出手段が読み出した時間帯区分と前記操作部の操作に応じて指定されたリンクとを対応付けて記憶する操作履歴記憶手段と、
リンクの一覧表示の指示を受け付ける受付手段と、
該受付手段が一覧表示の指示を受け付けた場合に、前記計時手段が計時している時刻が含まれる時間帯区分を前記時間帯区分記憶手段から読み出し、読み出した時間帯区分が対応付けられているリンクを前記操作履歴記憶手段に記憶されているリンクから抽出する検索手段と、
該検索手段により抽出されたリンクを前記表示手段に一覧表示する表示制御手段と
を備え、
前記受付手段と、前記表示制御手段とが前記インターネット端末装置に備えられており、
前記登録済みウェブサイトリンク記憶手段と、前記時間帯区分記憶手段と、前記計時手段と、前記時間帯区分読出手段と、前記操作履歴記憶手段と、前記検索手段とが、前記インターネット端末装置又は前記中央装置のいずれかに備えられていることを特徴とする登録済みウェブサイトリンクの一覧表示システム。
【請求項１０】
表示部及び操作部を備えた前記インターネット端末装置と、該インターネット端末装置とインターネット通信可能な中央装置とを含み、登録済みウェブサイトにアクセスするためのリンクを記憶した登録済みウェブサイトリンク記憶手段が記憶しているリンクを前記インターネット端末装置が備える前記操作部の操作に応じて前記表示手段に一覧表示する登録済みウェブサイトリンクの一覧表示システムにおいて、
複数の位置区分の範囲を記憶した位置区分記憶手段と、
前記インターネット端末装置の位置を検出する位置検出手段と、
前記登録済みウェブサイトリンク記憶手段に記憶されているリンクのいずれかが前記操作部の操作に応じて指定された場合に、前記位置検出手段が検出している位置が含まれる位置区分を前記位置区分記憶手段から読み出す位置区分読出手段と、
該位置区分読出手段が読み出した位置区分と前記操作部の操作に応じて指定されたリンクとを対応付けて記憶する操作履歴記憶手段と、
リンクの一覧表示の指示を受け付ける受付手段と、
該受付手段が一覧表示の指示を受け付けた場合に、前記位置検出手段が計時している位置が含まれる位置区分を前記位置区分記憶手段から読み出し、読み出した位置区分が対応付けられているリンクを前記操作履歴記憶手段に記憶されているリンクから抽出する検索手段と、
該検索手段により抽出されたリンクを前記表示手段に一覧表示する表示制御手段と
を備え、
前記受付手段と、前記表示制御手段とが前記インターネット端末装置に備えられており、
前記登録済みウェブサイトリンク記憶手段と、前記位置区分記憶手段と、前記位置区分読出手段と、前記操作履歴記憶手段と、前記検索手段とが、前記インターネット端末装置又は前記中央装置のいずれかに備えられていることを特徴とする登録済みウェブサイトリンクの一覧表示システム。
【請求項１１】
表示部及び操作部を備えた前記インターネット端末装置と、該インターネット端末装置とインターネット通信可能な中央装置とを含み、登録済みウェブサイトにアクセスするためのリンクを記憶した登録済みウェブサイトリンク記憶手段が記憶しているリンクを前記インターネット端末装置が備える前記操作部の操作に応じて前記表示手段に一覧表示する登録済みウェブサイトリンクの一覧表示システムにおいて、
複数の時間帯区分の開始及び終了時刻を記憶した時間帯区分記憶手段と、
時刻を計時する計時手段と、
複数の位置区分の範囲を記憶した位置区分記憶手段と、
前記インターネット端末装置の位置を検出する位置検出手段と、
前記登録済みウェブサイトリンク記憶手段に記憶されているリンクのいずれかが前記操作部の操作に応じて指定された場合に、前記計時手段が計時している時刻が含まれる時間帯区分を前記時間帯区分記憶手段から読み出す時間帯区分読出手段及び前記位置検出手段が検出している位置が含まれる位置区分を前記位置区分記憶手段から読み出す位置区分読出手段と、
前記時間帯区分読出手段が読み出した時間帯区分及び前記位置区分読出手段が読み出した位置区分と前記操作部の操作に応じて指定されたリンクとを対応付けて記憶する操作履歴記憶手段と、
リンクの一覧表示の指示を受け付ける受付手段と、
該受付手段が一覧表示の指示を受け付けた場合に、前記計時手段が計時している時刻が含まれる時間帯区分を前記時間帯区分記憶手段から読み出し、前記位置検出手段が計時している位置が含まれる位置区分を前記位置区分記憶手段から読み出し、読み出した時間帯区分及び読み出した位置区分が共に対応付けられているリンクを前記操作履歴記憶手段に記憶されているリンクから抽出する検索手段と、
該検索手段により抽出されたリンクを前記表示手段に一覧表示する表示制御手段と
を備え、
前記受付手段と、前記表示制御手段とが前記インターネット端末装置に備えられており、
前記登録済みウェブサイトリンク記憶手段と、前記時間帯区分記憶手段と、前記計時手段と、前記時間帯区分読出手段と、前記位置区分記憶手段と、前記位置区分読出手段と、前記操作履歴記憶手段と、前記検索手段とが、前記インターネット端末装置又は前記中央装置のいずれかに備えられていることを特徴とする登録済みウェブサイトリンクの一覧表示システム。
【請求項１２】
前記検索手段は、同一リンクが抽出された回数を計数し、
前記表示制御手段は、前記検索手段が計数した回数の多い順にリンクを前記表示手段に一覧表示するようにしてあること
を特徴とする請求項９乃至１１のいずれかに記載の登録済みウェブサイトリンクの一覧表示システム。
【発明の詳細な説明】
【技術分野】
【０００１】
本発明はウェブサイトをアクセスするためにリスト表示される登録済みのウェブサイトリンクを表示するためのシステム、より具体的には登録済みのウェブサイトリンクの登録名の一覧を見易くするために、ユーザの行動パターン，ウェブサイトへのアクセスパターン等に応じて自動的に分類して表示するためのシステムに関する。またそのようなシステムを単独のインターネット端末装置内で実現したインターネット端末装置及びそのためのコンピュータプログラムに関する。
【背景技術】
【０００２】
インターネットに接続可能な種々の端末装置（インターネット端末装置）、たとえばパーソナルコンピュータ，携帯電話機，ＰＤＡ等において、ユーザが頻繁に閲覧するウェブサイトを予め登録しておくことにより、ウェブサイトのＵＲＬをその都度実際に入力することなしにワンクリックで接続可能にするいわゆる「お気に入り」（「ブックマーク」ともいうが、以下においては「お気に入り」という）と称される機能が知られている。「お気に入り」は具体的には、ユーザが予め登録したウェブサイトのＵＲＬがリンクされた「登録名」をリスト表示することにより、いずれかの「登録名」をユーザがマウスのクリック等で指定するとそれにリンクしているＵＲＬがアクセスされるように構成したリストである。
【０００３】
パーソナルコンピュータ用のウェブサイト閲覧用のソフトウェアであるブラウザの場合では、多数のウェブサイトを「お気に入り」に登録してあったとしても表示画面が比較的広いことからかなりの数のウェブサイトの「登録名」を一画面に同時に一覧表示することが可能である。また、パーソナルコンピュータ用のブラウザでは複数のウェブサイトの「登録名」を一つのグループにまとめてサブリスト表示することも可能である。しかし、表示画面が狭い携帯電話機，ＰＤＡ等の携帯端末装置では一画面に同時に表示可能なウェブサイトの「登録名」の数が限られ、必然的にスクロール機能を利用せざるを得ない。但し、同時に表示可能なウェブサイトの「登録名」の数は表示画面の大きさの面から自ずと限度が有ることは本質的にはパーソナルコンピュータであっても同様である。従って、上述したような携帯電話機における問題は本質的にはパーソナルコンピュータにおいても存在する。
【０００４】
ところで、一般的なインターネットユーザがウェブサイトにアクセスする場合、時間帯に応じて特定のウェブサイトへアクセスする傾向があることは容易に理解されることである。たとえば、一般的な勤労者であれば、朝の出勤前の未だ自宅に居る時間帯にはその日の気象情報、ニュース、交通情報等のウェブサイトをアクセスし、昼間の職場に居る時間帯には仕事に関係するウェブサイト、あるいは職場近辺での飲食、ショッピング等の情報に関係するウェブサイトをアクセスし、夕方の退勤時以降の職場でもなく自宅でもない場所に居る時間帯には帰宅のための電車，バスの時刻表（出勤時の電車，バスは毎朝同じであることが多いが帰宅の際は決まっておらず、特に遅くなった場合の終電車，終バス等の時刻を知りたいことが多い）、種々の娯楽のための案内、プロ野球の途中経過／結果等のウェブサイトにアクセスする、という一定のパターンが存在する。
【０００５】
このことは時間帯別に限らず、インターネット接続可能な携帯端末装置の位置、より具体的にはそれを携帯するユーザの居所に関しても同様である。たとえば、同じ電車，バスの時刻に関しても、ユーザが自宅に居る場合には自宅の最寄駅，バス停の時刻表のウェブサイトに、職場に居る場合には職場の最寄駅，バス停の時刻表のウェブサイトに、更には通勤の途中で電車，バスの乗換えをするのであればその際には乗換駅，バス停の時刻表のウェブサイトにアクセスする、というパターンが考えられる。なお、乗換駅，バス停の時刻表のウェブサイトにアクセスする場合を考えると、同一の場所（駅，バス停）であっても時間帯によって方向が異なる、即ち朝の時間帯と夜の時間帯とでは乗換の方向が逆になるので、アクセスする時刻表のウェブサイトも異なることになる。
【０００６】
このように、多くのインターネットユーザにとっては、時間帯に応じて高頻度でアクセスするウェブサイトがほぼ決まっており、また携帯電話機等のインターネット接続可能な携帯端末装置のユーザにとっては時間帯と現在位置との組み合わせによってほぼ決まっている、というようにパターン化されていることが多い。このようなインターネットユーザのウェブサイトへのアクセス先が時間帯（及び現在位置）によって特定の傾向があることに基づいてユーザの嗜好を学習する装置が特許文献１に開示されている。
【特許文献１】特開２００２−１０８９１８号公報
【発明の開示】
【発明が解決しようとする課題】
【０００７】
しかしながら上記の特許文献１に開示されている発明では、たとえばユーザが昼間の時間帯にファストフード店へ頻繁に出入りすることを携帯端末装置の位置情報及び時刻情報から検出し、その時間帯にユーザの現在地近辺のファストフード店の情報（ウェブサイトのコンテンツ）を提供するための発明であり、ユーザにとっては未知のウェブサイトを紹介してもらえるという利点はあるものの、ユーザがその時点でその場所で実際にアクセスしたいウェブサイトへアクセスすることは考慮されてはいない。
【０００８】
本発明は以上のような事情に鑑みてなされたものであり、登録済みのウェブサイトにリンクした「登録名」を一覧表示する「お気に入り」をユーザの時間別、居所別等に応じた行動パターン，ウェブサイトへのアクセスパターン等に応じて自動的に分類するためのシステム、即ち登録済みウェブサイトリンクの一覧表示システムの提供を目的とする。またそのようなシステムを単独のインターネット端末装置内で実現したインターネット端末装置及びそのためのコンピュータプログラムの提供を目的とする。
【課題を解決するための手段】
【０００９】
本発明は端的には、ユーザの時間帯別、あるいは居所別のウェブサイトへのアクセスパターンに従って、登録済みのウェブサイトにリンクした「登録名（リンク）」を分類しておき、「お気に入り」を表示するように指示された時点の時間帯又は位置（ユーザの居所）に応じて、分類してある「登録名」を「お気に入り」としてリスト表示することを特徴とする。
【００１０】
本発明の第１の発明は、登録済みウェブサイトにアクセスするためのリンクを操作部の操作に応じて表示手段に一覧表示するインターネット端末装置において、登録済みウェブサイトを記憶した登録済みウェブサイトリンク記憶手段と、複数の時間帯区分の開始及び終了時刻を記憶した時間帯区分記憶手段と、絶対時刻を計時する計時手段と、前記登録済みウェブサイトリンク記憶手段に記憶されているリンクのいずれかが前記操作部の操作に応じて指定された場合に、前記計時手段が計時している時刻が含まれる時間帯区分を前記時間帯区分記憶手段から読み出す時間帯区分読出手段と、該時間帯区分読出手段が読み出した時間帯区分と前記操作部の操作に応じて指定されたリンクとを対応付けて記憶する操作履歴記憶手段と、リンクの一覧表示の指示を受け付ける受付手段と、該受付手段が一覧表示の指示を受け付けた場合に、前記計時手段が計時している時刻が含まれる時間帯区分を前記時間帯区分記憶手段から読み出し、読み出した時間帯区分が対応付けられているリンクを前記操作履歴記憶手段に記憶されているリンクから抽出する検索手段と、該検索手段により抽出されたリンクを前記表示手段に一覧表示する表示制御手段とを備えたことを特徴とする。
【００１１】
また本発明の第５の発明は、インターネット通信可能なコンピュータに、記憶装置に記憶されている登録済みウェブサイトにアクセスするためのリンクを操作部の操作に応じて表示手段に一覧表示させるコンピュータプログラムにおいて、複数の時間帯区分の開始及び終了時刻を記憶装置に記憶させる手順と、前記記憶装置に記憶されているリンクのいずれかが前記操作部の操作に応じて指定された場合に、計時手段が計時している時刻が含まれる時間帯区分を前記記憶装置から読み出す手順と、読み出した時間帯区分と前記操作部の操作に応じて指定されたリンクとを対応付けて前記記憶装置に記憶させる手順と、リンクの一覧表示の指示を受け付ける手順と、一覧表示の指示を受け付けた場合に、前記計時手段が計時している時刻が含まれる時間帯区分を前記記憶装置から読み出し、読み出した時間帯区分が対応付けられているリンクを前記記憶装置に記憶されているリンクから抽出する手順と、抽出されたリンクを前記表示手段に一覧表示させる手順とをコンピュータに実行させることを特徴とする。
【００１２】
本発明の第９の発明は、表示部及び操作部を備えた前記インターネット端末装置と、該インターネット端末装置とインターネット通信可能な中央装置とを含み、登録済みウェブサイトにアクセスするためのリンクを記憶した登録済みウェブサイトリンク記憶手段が記憶しているリンクを前記インターネット端末装置が備える前記操作部の操作に応じて前記表示手段に一覧表示する登録済みウェブサイトリンクの一覧表示システムにおいて、複数の時間帯区分の開始及び終了時刻を記憶した時間帯区分記憶手段と、時刻を計時する計時手段と、前記登録済みウェブサイトリンク記憶手段に記憶されているリンクのいずれかが前記操作部の操作に応じて指定された場合に、前記計時手段が計時している時刻が含まれる時間帯区分を前記時間帯区分記憶手段から読み出す時間帯区分読出手段と、該時間帯区分読出手段が読み出した時間帯区分と前記操作部の操作に応じて指定されたリンクとを対応付けて記憶する操作履歴記憶手段と、リンクの一覧表示の指示を受け付ける受付手段と、該受付手段が一覧表示の指示を受け付けた場合に、前記計時手段が計時している時刻が含まれる時間帯区分を前記時間帯区分記憶手段から読み出し、読み出した時間帯区分が対応付けられているリンクを前記操作履歴記憶手段に記憶されているリンクから抽出する検索手段と、該検索手段により抽出されたリンクを前記表示手段に一覧表示する表示制御手段とを備え、前記受付手段と、前記表示制御手段とが前記インターネット端末装置に備えられており、前記登録済みウェブサイトリンク記憶手段と、前記時間帯区分記憶手段と、前記計時手段と、前記時間帯区分読出手段と、前記操作履歴記憶手段と、前記検索手段とが、前記インターネット端末装置又は前記中央装置のいずれかに備えられていることを特徴とする。
【００１３】
上述のような本発明の第１の発明に係るインターネット端末装置では、登録済みウェブサイトリンク記憶手段に記憶されているリンクのいずれかが操作部の操作に応じて指定された場合に、計時手段が計時している時刻（現在時刻）が含まれる時間帯区分が時間帯区分記憶手段から読み出され、この読み出された時間帯区分と操作部の操作に応じて指定されたリンクとが対応付けられて操作履歴記憶手段に記憶される。そして、リンクの一覧表示の指示が受け付けられると、計時手段が計時している時刻（現在時刻）が含まれる時間帯区分が時間帯区分記憶手段から読み出され、この時間帯区分が対応付けられていることを検索条件として操作履歴記憶手段に記憶されているリンクが検索され、検索条件が一致するリンクが表示手段に一覧表示される。
【００１４】
また本発明の第５の発明に係るコンピュータプログラムでは、そのようなコンピュータプログラムをインターネット端末装置にインストールすることにより、第１の発明のインターネット端末装置が実現される。
【００１５】
また本発明の第９の発明に係る登録済みウェブサイトリンクの一覧表示システムでは、第１の発明のインターネット端末装置が備える構成要素のいくつかがインターネット端末装置とインターネット通信可能な中央装置に備えられており、両者間でインターネット通信を行なうことにより、インターネット端末装置が第１の発明のインターネット端末装置と同様のリンクを表示する。
【００１６】
本発明の第２の発明は、登録済みウェブサイトにアクセスするためのリンクを操作部の操作に応じて表示手段に一覧表示するインターネット端末装置において、登録済みウェブサイトを記憶した登録済みウェブサイトリンク記憶手段と、複数の位置区分の範囲を記憶した位置区分記憶手段と、位置を検出する位置検出手段と、前記登録済みウェブサイトリンク記憶手段に記憶されているリンクのいずれかが操作部の操作に応じて指定された場合に、前記位置検出手段が検出している位置が含まれる位置区分を前記位置区分記憶手段から読み出す位置区分読出手段と、該位置区分読出手段が読み出した位置区分と前記操作部の操作に応じて指定されたリンクとを対応付けて記憶する操作履歴記憶手段と、リンクの一覧表示の指示を受け付ける受付手段と、該受付手段が一覧表示の指示を受け付けた場合に、前記位置検出手段が検出している位置が含まれる位置区分を前記位置区分記憶手段から読み出し、読み出した位置区分が対応付けられているリンクを前記操作履歴記憶手段に記憶されているリンクから抽出する検索手段と、該検索手段により抽出されたリンクを前記表示手段に一覧表示する表示制御手段とを備えたことを特徴とする。
【００１７】
また本発明の第６の発明は、インターネット通信可能なコンピュータに、記憶装置に記憶されている登録済みウェブサイトにアクセスするためのリンクを操作部の操作に応じて表示手段に一覧表示させるコンピュータプログラムにおいて、複数の位置区分の範囲を前記記憶装置に記憶させる手順と、前記記憶装置に記憶されているリンクのいずれかが前記操作部の操作に応じて指定された場合に、位置検出手段が検出している位置が含まれる位置区分を前記記憶装置から読み出す手順と、読み出した位置区分と前記操作部の操作に応じて指定されたリンクとを対応付けて前記記憶装置に記憶させる手順と、リンクの一覧表示の指示を受け付ける手順と、一覧表示の指示を受け付けた場合に、前記位置検出手段が検出している位置が含まれる位置区分を前記記憶装置から読み出し、読み出した位置区分が対応付けられているリンクを前記記憶装置に記憶されているリンクから抽出する手順と、抽出されたリンクを前記表示手段に一覧表示させる手順とをコンピュータに実行させることを特徴とする。
【００１８】
本発明の第１０の発明は、表示部及び操作部を備えた前記インターネット端末装置と、該インターネット端末装置とインターネット通信可能な中央装置とを含み、登録済みウェブサイトにアクセスするためのリンクを記憶した登録済みウェブサイトリンク記憶手段が記憶しているリンクを前記インターネット端末装置が備える前記操作部の操作に応じて前記表示手段に一覧表示する登録済みウェブサイトリンクの一覧表示システムにおいて、複数の位置区分の範囲を記憶した位置区分記憶手段と、前記インターネット端末装置の位置を検出する位置検出手段と、前記登録済みウェブサイトリンク記憶手段に記憶されているリンクのいずれかが前記操作部の操作に応じて指定された場合に、前記位置検出手段が検出している位置が含まれる位置区分を前記位置区分記憶手段から読み出す位置区分読出手段と、該位置区分読出手段が読み出した位置区分と前記操作部の操作に応じて指定されたリンクとを対応付けて記憶する操作履歴記憶手段と、リンクの一覧表示の指示を受け付ける受付手段と、該受付手段が一覧表示の指示を受け付けた場合に、前記位置検出手段が計時している位置が含まれる位置区分を前記位置区分記憶手段から読み出し、読み出した位置区分が対応付けられているリンクを前記操作履歴記憶手段に記憶されているリンクから抽出する検索手段と、該検索手段により抽出されたリンクを前記表示手段に一覧表示する表示制御手段とを備え、前記受付手段と、前記表示制御手段とが前記インターネット端末装置に備えられており、前記登録済みウェブサイトリンク記憶手段と、前記位置区分記憶手段と、前記位置区分読出手段と、前記操作履歴記憶手段と、前記検索手段とが、前記インターネット端末装置又は前記中央装置のいずれかに備えられていることを特徴とする。
【００１９】
上述のような本発明の第２の発明に係るインターネット端末装置では、登録済みウェブサイトリンク記憶手段に記憶されているリンクのいずれかが操作部の操作に応じて指定された場合に、位置検出手段が検出している位置（現在位置）が含まれる位置区分が位置区分記憶手段から読み出され、この読み出された位置区分と操作部の操作に応じて指定されたリンクとが対応付けられて操作履歴記憶手段に記憶される。そして、リンクの一覧表示の指示が受け付けられると、位置検出手段が計時している位置（現在位置）が含まれる位置区分が位置区分記憶手段から読み出され、この位置区分が対応付けられていることを検索条件として操作履歴記憶手段に記憶されているリンクが検索され、検索条件が一致したリンクが表示手段に一覧表示される。
【００２０】
また本発明の第６の発明に係るコンピュータプログラムでは、そのようなコンピュータプログラムをインターネット端末装置にインストールすることにより、第２の発明のインターネット端末装置が実現される。
【００２１】
また本発明の第１０の発明に係る登録済みウェブサイトリンクの一覧表示システムでは、第２の発明のインターネット端末装置が備える構成要素のいくつかがインターネット端末装置とインターネット通信可能な中央装置に備えられており、両者間でインターネット通信を行なうことにより、インターネット端末装置が第２の発明のインターネット端末装置と同様のリンクを表示する。
【００２２】
本発明の第３の発明は、登録済みウェブサイトにアクセスするためのリンクを操作部の操作に応じて表示手段に一覧表示するインターネット端末装置において、登録済みウェブサイトを記憶した登録済みウェブサイトリンク記憶手段と、複数の時間帯区分の開始及び終了時刻を記憶した時間帯区分記憶手段と、絶対時刻を計時する計時手段と、複数位置区分の範囲を記憶した位置区分記憶手段と、位置を検出する位置検出手段と、前記登録済みウェブサイトリンク記憶手段に記憶されているリンクのいずれかが操作部の操作に応じて指定された場合に、前記計時手段が計時している時刻が含まれる時間帯区分を前記時間帯区分記憶手段から読み出す時間帯区分読出手段及び前記位置検出手段が計時している位置が含まれる位置区分を前記位置区分記憶手段から読み出す位置区分読出手段と、前記時間帯区分読出手段が読み出した時間帯区分及び前記位置区分読出手段が読み出した位置区分と前記操作部の操作に応じて指定されたリンクとを対応付けて記憶する操作履歴記憶手段と、リンクの一覧表示の指示を受け付ける受付手段と、該受付手段が一覧表示の指示を受け付けた場合に、前記計時手段が計時している時刻が含まれる時間帯区分を前記時間帯区分記憶手段から読み出し、前記位置検出手段が検出している位置が含まれる位置区分を前記位置区分記憶手段から読み出し、読み出した時間帯区分及び読み出した位置区分が共に対応付けられているリンクを前記操作履歴記憶手段に記憶されているリンクから抽出する検索手段と、該検索手段により抽出されたリンクを前記表示手段に一覧表示する表示制御手段とを備えたことを特徴とする。
【００２３】
また本発明の第７の発明は、インターネット通信可能なコンピュータに、記憶装置に記憶されている登録済みウェブサイトにアクセスするためのリンクを操作部の操作に応じて表示手段に一覧表示させるコンピュータプログラムにおいて、複数の時間帯区分の開始及び終了時刻を記憶装置に記憶させる手順と、複数の位置区分の範囲を前記記憶装置に記憶させる手順と、前記記憶装置に記憶されているリンクのいずれかが前記操作部の操作に応じて指定された場合に、計時手段が計時している時刻が含まれる時間帯区分を前記記憶装置から読み出し、位置検出手段が検出している位置が含まれる位置区分を前記記憶装置から読み出す手順と、読み出した時間帯区分と読み出した位置区分と前記操作部の操作に応じて指定されたリンクとを対応付けて前記記憶装置に記憶させる手順と、リンクの一覧表示の指示を受け付ける手順と、一覧表示の指示を受け付けた場合に、前記計時手段が計時している時刻が含まれる時間帯区分を前記記憶装置から読み出し、前記位置検出手段が検出している位置が含まれる位置区分を前記記憶装置から読み出し、読み出した時間帯区分及び読み出した位置区分が共に対応付けられているリンクを前記記憶装置に記憶されているリンクから抽出する手順と、抽出されたリンクを前記表示手段に一覧表示させる手順とをコンピュータに実行させることを特徴とする。
【００２４】
本発明の第１１の発明は、表示部及び操作部を備えた前記インターネット端末装置と、該インターネット端末装置とインターネット通信可能な中央装置とを含み、登録済みウェブサイトにアクセスするためのリンクを記憶した登録済みウェブサイトリンク記憶手段が記憶しているリンクを前記インターネット端末装置が備える前記操作部の操作に応じて前記表示手段に一覧表示する登録済みウェブサイトリンクの一覧表示システムにおいて、複数の時間帯区分の開始及び終了時刻を記憶した時間帯区分記憶手段と、時刻を計時する計時手段と、複数の位置区分の範囲を記憶した位置区分記憶手段と、前記インターネット端末装置の位置を検出する位置検出手段と、前記登録済みウェブサイトリンク記憶手段に記憶されているリンクのいずれかが前記操作部の操作に応じて指定された場合に、前記計時手段が計時している時刻が含まれる時間帯区分を前記時間帯区分記憶手段から読み出す時間帯区分読出手段及び前記位置検出手段が検出している位置が含まれる位置区分を前記位置区分記憶手段から読み出す位置区分読出手段と、前記時間帯区分読出手段が読み出した時間帯区分及び前記位置区分読出手段が読み出した位置区分と前記操作部の操作に応じて指定されたリンクとを対応付けて記憶する操作履歴記憶手段と、リンクの一覧表示の指示を受け付ける受付手段と、該受付手段が一覧表示の指示を受け付けた場合に、前記計時手段が計時している時刻が含まれる時間帯区分を前記時間帯区分記憶手段から読み出し、前記位置検出手段が計時している位置が含まれる位置区分を前記位置区分記憶手段から読み出し、読み出した時間帯区分及び読み出した位置区分が共に対応付けられているリンクを前記操作履歴記憶手段に記憶されているリンクから抽出する検索手段と、該検索手段により抽出されたリンクを前記表示手段に一覧表示する表示制御手段とを備え、前記受付手段と、前記表示制御手段とが前記インターネット端末装置に備えられており、前記登録済みウェブサイトリンク記憶手段と、前記時間帯区分記憶手段と、前記計時手段と、前記時間帯区分読出手段と、前記位置区分記憶手段と、前記位置区分読出手段と、前記操作履歴記憶手段と、前記検索手段とが、前記インターネット端末装置又は前記中央装置のいずれかに備えられていることを特徴とする。
【００２５】
上述のような本発明の第３の発明に係るインターネット端末装置では、登録済みウェブサイトリンク記憶手段に記憶されているリンクのいずれかが操作部の操作に応じて指定された場合に、計時手段が計時している時刻（現在時刻）が含まれる時間帯区分が時間帯区分記憶手段から読み出され、位置検出手段が検出している位置（現在位置）が含まれる位置区分が位置区分記憶手段から読み出され、この読み出された時間帯区分と位置区分と操作部の操作に応じて指定されたリンクとが対応付けられて操作履歴記憶手段に記憶される。そして、リンクの一覧表示の指示が受け付けられると、計時手段が計時している時刻（現在時刻）が含まれる時間帯区分が時間帯区分記憶手段から読み出され、位置検出手段が計時している位置（現在位置）が含まれる位置区分が位置区分記憶手段から読み出され、読み出された時間帯区分及び位置区分が共に対応付けられていることを検索条件として操作履歴記憶手段に記憶されているリンクが検索され、検索条件が一致したリンクが表示手段に一覧表示される。
【００２６】
また本発明の第７の発明に係るコンピュータプログラムでは、そのようなコンピュータプログラムをインターネット端末装置にインストールすることにより、第３の発明のインターネット端末装置が実現される。
【００２７】
また本発明の第１１の発明に係る登録済みウェブサイトリンクの一覧表示システムでは、第３の発明のインターネット端末装置が備える構成要素のいくつかがインターネット端末装置とインターネット通信可能な中央装置に備えられており、両者間でインターネット通信を行なうことにより、インターネット端末装置が第３の発明のインターネット端末装置と同様のリンクを表示する。
【００２８】
本発明の第４の発明は第１乃至第３のインターネット端末装置の発明のいずれかにおいて、前記検索手段は、同一リンクが抽出された回数を計数し、前記表示制御手段は、前記検索手段が計数した回数の多い順にリンクを前記表示手段に一覧表示するようにしてあることを特徴とする。
【００２９】
本発明の第８の発明は第５乃至第７のコンピュータプログラムの発明のいずれかにおいて、前記抽出する手順は、同一リンクが抽出された回数を計数する手順を更に含み、前記一覧表示させる手順は、計数回数の多い順にリンクを前記表示手段に一覧表示する手順を更に含むことを特徴とする。
【００３０】
本発明の第１２の発明は第９乃至第１１の登録済みウェブサイトリンクの一覧表示システムの発明のいずれかにおいて、前記検索手段は、同一リンクが抽出された回数を計数し、前記表示制御手段は、前記検索手段が計数した回数の多い順にリンクを前記表示手段に一覧表示するようにしてあることを特徴とする。
【００３１】
上述のような本発明の第４の発明に係るインターネット端末装置では第１乃至第３の発明のいずれかにおいて、登録済みウェブサイトリンク記憶手段に登録されている回数が多い順にリンクが表示手段に一覧表示される。
【００３２】
また本発明の第８の発明に係るコンピュータプログラムでは、そのようなコンピュータプログラムをインターネット端末装置にインストールすることにより、第４の発明のインターネット端末装置が実現される。
【００３３】
また本発明の第１２の発明に係る登録済みウェブサイトリンクの一覧表示システムでは、第４の発明のインターネット端末装置と同様に、登録済みウェブサイトリンク記憶手段に登録されている回数が多い順にリンクが表示手段に一覧表示される。
【発明の効果】
【００３４】
第１の発明に係るインターネット端末装置によれば、リンクの一覧表示が指示された場合に、現在時刻に対応して過去に同一の時間帯にユーザが頻繁にアクセスしたウェブサイトへのリンクが「お気に入り」として表示手段に表示される。
【００３５】
第２の発明に係るインターネット端末装置によれば、リンクの一覧表示が指示された場合に、インターネット端末装置の現在位置に対応して過去に同一の位置近辺においてユーザが頻繁にアクセスしたウェブサイトへのリンクが「お気に入り」として表示手段に表示される。
【００３６】
第３の発明に係るインターネット端末装置によれば、リンクの一覧表示が指示された場合に、現在時刻及びインターネット端末装置の現在位置に対応して過去に同一の時間帯及び同一の位置近辺においてユーザが頻繁にアクセスしたウェブサイトへのリンクが「お気に入り」として表示手段に表示される。
【００３７】
また第４の発明に係るインターネット端末装置によれば第１乃至第３の発明のインターネット端末装置のいずれかにおいて、リンクの一覧表示が指示された場合に、現在時刻、又はインターネット端末装置の現在位置、あるいはその両方に対応してアクセス頻度が高いリンクから順に配列されて「お気に入り」として表示手段に表示される。
【００３８】
更に第５乃至第８の発明に係るコンピュータプログラムによれば、種々のインターネット端末装置にインストールすることにより、上述の第１乃至第４の発明のインターネット端末装置が実現される。
【００３９】
また更に第９乃至第１２の発明の登録済みウェブサイトリンクの一覧表示システムによれば、インターネット端末装置と、これとインターネット通信可能な中央装置（サーバ）との間でインターネット通信を行ないつつ、インターネット端末装置側で全ての構成要素を備えることなしに、インターネット端末装置側では第１乃至第４の発明のインターネット端末装置と同様のリンクの一覧表示を行なうことが可能になる。
【発明を実施するための最良の形態】
【００４０】
（第１の実施の形態）
以下、本発明の一実施の形態としての端末装置側で全ての処理を実行するように構成したインターネット端末装置について図面を参照して説明する。図１は本発明に係るインターネット端末装置の一構成例として携帯電話機の内部構成例を示すブロック図である。
【００４１】
携帯電話機１は、ＣＰＵにより構成される制御部１１，インターネット通信可能な通信部１２，たとえばＧＰＳ等を利用して現在位置を検出するための位置検出部１３，テンキー及び十字キー等で構成される操作部１４，現在時刻としての絶対時刻（年月日時分秒）を計時する計時部１５，制御部１１による携帯電話機１の基本的な制御のためのプログラムを記憶したＲＯＭ１６，制御部１１による制御に伴なって発生する種々のデータを一時記憶するＲＡＭ１７，液晶パネル等を利用した表示部１８，書き換え可能であり且つ電源が遮断された場合にもデータを保持することが可能な不揮発性メモリ１９，通話のためのスピーカ及びマイクロフォン等（図示せず）で構成される通話部等を備えている。なお、ＲＡＭ１７を不揮発性メモリ１９で兼用することも可能であり、更にはＲＯＭ１６及びＲＡＭ１７を不揮発性メモリ１９で兼用することも可能である。
【００４２】
ところで、不揮発性メモリ１９の適宜の記憶領域には以下のようなテーブル及びデータベース、更には本発明に係るコンピュータプログラムとしての「お気に入り」プログラム１９５が記憶されている。時間帯区分テーブル１９１は図２の模式図にその記憶内容を示すように、時間帯ＩＤに対応して時間帯区分とその時刻範囲とが予め登録されている。たとえば、時間帯ＩＤが「０１」に対応する時間帯区分は「朝」であり、それに対応する時刻範囲は「午前６時から午前９時」である。他はたとえば時間帯ＩＤ「０２」、「０３」、「０４」、「０５」にそれぞれ対応して時間帯区分（「昼」、「夕方」、「夜」、「深夜」）とそれぞれの時刻範囲（「午前９時から午後５時（１７時）」、「午後５時から午後９時」、「午後９時から午前１次」、「午前１時から午前６時」）等が予め登録されている。なお、時間帯区分及びそれぞれに対応する時刻範囲はユーザが自身の行動パターンに合わせて任意に設定可能である。
【００４３】
位置区分テーブル１９２は図３の模式図にその記憶内容を示すように、位置ＩＤに対応して位置区分とその中心位置と範囲（半径はｋｍで指定）とが予め登録されている。たとえば、位置ＩＤが「０１」に対応する位置区分は「自宅」であり、それに対応する中心位置は経緯度（「東経（Ｅ）」及び「北緯（Ｎ）」）で記憶されており、範囲は半径「３ｋｍ」である。他はたとえば位置ＩＤ「０２」、「０３」、「０４」…にそれぞれ対応して位置区分（「職場」、「乗換駅」、「実家」…）等と、経緯度で表わされる中心位置と、範囲（「３ｋｍ」、「２ｋｍ」、「５ｋｍ」…等）とが予め登録されている。なお、位置区分及びそれぞれに対応する範囲はユーザが自身の行動パターンに合わせて任意に設定可能である。
【００４４】
登録済みＵＲＬＤＢ１９３（以下、ＤＢはデータベースを意味する）は図４の模式図にその登録内容を示すように、登録済みＵＲＬＩＤに対応して実際のＵＲＬとそれにリンクされた登録名と更新時刻情報とが予め登録されている。たとえば、登録済みＵＲＬＩＤが「０００１」に対応するＵＲＬは「www.xx.com」であり、それにリンクされている登録名は「気象情報」である。他はたとえば登録済みＵＲＬＩＤ「０００２」、「０００３」、「０００４」…にそれぞれ対応してＵＲＬ（「www.yy.com」、「www.zz.ne 」、「www.xyz.or」…等）とそれぞれにリンクした登録名（「○○駅時刻表」、「今朝のニュース」、「○○駅周辺レストラン情報」…等）とそれぞれの更新時刻情報とが予め登録されている。なお、登録名はＵＲＬが最初に登録された時点で自動的に登録されるが、その後にユーザが任意に、たとえば英文表記を日本語に、長い登録名を省略形に、等のように変更可能である。
【００４５】
なお、更新時刻情報はそれぞれのＵＲＬに実際にアクセスした際にアクセス先のウェブサイトから得られるそのサイトの更新時刻の情報であり、ＮＥＷフラグはこの更新情報に基づいてそれぞれのウェブサイトの内容が更新されていると判断された場合に「１」にセットされるフラグであり、共に詳細は後述する。
【００４６】
操作履歴ＤＢ１９４は図５の模式図にその登録内容を示すように、ログＩＤに対応して実際にＵＲＬにアクセス操作が行なわれた際の履歴が登録されている。具体的には、ログＩＤに対応して、登録済みＵＲＬＤＢ１９３の登録済みＵＲＬＩＤと、アクセス時刻（アクセス時の計時部１５による計時値）と、これに対応する時間帯区分テーブル１９１の時間帯ＩＤと、アクセス時の位置情報（アクセス時に位置検出部１３が検出している位置情報）と、これに対応する位置区分テーブル１９２の位置ＩＤとが、実際にＵＲＬを指定してアクセス操作が行なわれる都度、登録される。たとえば、ログＩＤが「０１」に対応するＵＲＬＩＤは「０００１」であり、それに対応するアクセス時刻は「040801071132（西暦2004年８月１日07時（24時制）11分32秒）」であり、時間帯ＩＤは「０１」（図２参照）であり、位置情報が経緯度で登録されており、位置ＩＤは「０１」（図３参照）である。
【００４７】
操作履歴ＤＢ１９４にはこのような操作履歴が多数（但し、過去１週間、１ヶ月等をユーザが指定することも可能）登録されている。
【００４８】
「お気に入り」プログラム１９５は本発明に係るコンピュータプログラムである。前述した如くＲＯＭ１６には制御部１１による携帯電話機１の基本的な制御のためのプログラムが記憶されているが、これとは別に後述するように制御部１１が「お気に入り」を表示させるためのコンピュータプログラムである「お気に入り」プログラム１９５が不揮発性メモリ１９に予め記憶されている。但し、不揮発性メモリ１９ではなく、携帯電話機１の基本的な制御のためのプログラムと共に「お気に入り」プログラムもＲＯＭ１６に記憶させておいてもよいことはいうまでもない。
【００４９】
次に、本発明に係るインターネット端末装置の一構成例としての携帯電話機１の動作について、「お気に入り」プログラム１９５を実行した場合の制御部１１による処理手順を示すフローチャートを参照して説明する。なお、ウェブサイトを「お気に入り」に登録する操作自体は従来のこの種のインターネット接続可能な端末装置による場合と同様であるのでその説明は省略する。
【００５０】
まず、図６を参照して、携帯電話機１がウェブサイトにアクセスした場合の制御部１１による処理手順について説明する。但し、この場合のＵＲＬの指定は既に登録済みのウェブサイトにリンクした登録名、具体的には後述するようにして作成される「お気に入り」に表示される登録名のリスト中の一つの登録名を指定して行なわれる。なおこの図６に示す処理手順は携帯電話機１の制御部１１が主として不揮発性メモリ１９に予め記憶されている「お気に入り」プログラム１９５を実行することにより実現される。
【００５１】
制御部１１は操作部１４の操作入力、即ちユーザが何らかの操作入力を操作部１４に対して行なうまで待機しており（ステップＳ１１でＮＯ）、操作入力があった場合には（ステップＳ１１でＹＥＳ）、それがウェブサイトへのアクセスであるか否かを判断する（ステップＳ１２）。操作入力がウェブサイトへのアクセスではなかった場合は（ステップＳ１２でＮＯ）、制御部１１は操作入力に応じた処理を実行し（ステップＳ１３）、ステップＳ１１へ処理を戻して次に操作入力があるまで待機する。操作入力がウェブサイトへのアクセスであった場合は（ステップＳ１２でＹＥＳ）、制御部１１は通信部１２を制御して指定されたＵＲＬへインターネットを通じてアクセスする（ステップＳ１４）。
【００５２】
この際、制御部１１は計時部１５の計時値（現在時刻）を読み込み、これに対応する時間帯ＩＤを時間帯区分テーブル１９１から読み出す（ステップＳ１５）。また制御部１１は位置検出部１３のその時点の検出値（現在位置）を読み込み、これに対応する位置ＩＤを位置区分テーブル１９２から読み出す（ステップＳ１６）。そして制御部１１は、アクセスを指定されたＵＲＬと、現在時刻と、これに対応する時間帯ＩＤと、現在位置と、これに対応する位置ＩＤとを操作履歴ＤＢ１９４に登録する（ステップＳ１７）。なおその際のログＩＤは自動的にインクリメントされて付与される。
【００５３】
以上のようにして、ユーザが携帯電話機１を操作することにより「お気に入り」、即ち登録済みのウェブサイトにリンクした登録名を指定してウェブサイトにアクセスする都度、操作履歴ＤＢ１９４には新たな操作履歴が新たなログＩＤを付与されて登録されてゆく。なお、前述したように、操作履歴ＤＢ１９４への操作履歴の登録数は不揮発性メモリ１９の容量の面からも無制限にはできないので、上限を設定しておいてオーバフローした場合には古い履歴を消去するＦＩＦＯ方式を採用することが好ましい。また、オーバフローしない場合にも、過去１週間分、あるいは１ヶ月分のみ記憶しておくというようにユーザが設定することを可能にしてもよい。
【００５４】
次に、携帯電話機１において「お気に入り」を表示部１８に表示させる際の制御部１１による処理手順について、図７以下のフローチャートを参照して説明する。図７は「お気に入り」を携帯電話機１の表示部１８に表示させる際の制御部１１による処理手順のメインルーチンを示すフローチャートである。なおこの図７に示す処理手順は携帯電話機１の制御部１１が主として不揮発性メモリ１９に予め記憶されている「お気に入り」プログラム１９５を実行することにより実現される。
【００５５】
制御部１１は操作部１４の操作入力、即ちユーザが何らかの操作入力を操作部１４に対して行なわれるまで待機しており（ステップＳ２１でＮＯ）、操作入力があった場合には（ステップＳ２１でＹＥＳ）、それが「お気に入り」を表示させるための操作であるか否かを判断する（ステップＳ２２）。操作入力が「お気に入り」を表示させるための操作ではなかった場合は（ステップＳ２２でＮＯ）、制御部１１は操作入力に応じた処理を実行し（ステップＳ２３）、ステップＳ２１へ処理を戻して次に操作入力があるまで待機する。操作入力が「お気に入り」を表示させるための操作であった場合は（ステップＳ２２でＹＥＳ）、制御部１１は表示条件の設定を判断する。
【００５６】
なお、表示条件の設定は、「時間帯別」、「位置別」、「時間帯及び位置別」の３通りが可能である。これらの表示条件の設定は図示しない処理ルーチンで適時ユーザが設定することが可能であり、設定された表示条件はたとえば不揮発性メモリ１９の適宜の記憶領域に記憶される。
【００５７】
表示条件として「時間帯別」が設定されている場合（ステップＳ２４でＹＥＳ）、詳細は後述するが時間帯別表示処理が実行され（ステップＳ２５）、表示条件として「位置別」が設定されている場合（ステップＳ２４でＮＯ、Ｓ２６でＹＥＳ）、詳細は後述するが位置別表示処理が実行され（ステップＳ２７）、表示条件として「時間帯及び位置別」が設定されている場合（ステップＳ２６でＮＯ，Ｓ２８でＹＥＳ）、詳細は後述するが時間帯及び位置別表示処理が実行され（ステップＳ２９）、表示条件が設定されていない場合（ステップＳ２８でＮＯ）、一般的な表示処理（通常表示処理）が実行される（ステップＳ３０）。
【００５８】
ステップＳ２５，Ｓ２７、Ｓ２９、Ｓ３０のいずれかにおいて「お気に入り」が表示された後は、制御部１１はステップＳ２１へ処理を戻して次の操作入力を待機する状態になる。従って、この時点で、表示部１８に表示されている「お気に入り」のリスト上でいずれかの登録名をユーザが操作部１４を操作して指定すれば、指定された登録名にリンクされているＵＲＬに制御部１１が通信部１２からインターネットＩＮを介してアクセスする。
【００５９】
なお、通常表示処理は、「お気に入り」が表示される際に基本的にはユーザが登録した順に登録名を表示部１８にリスト表示する処理であるが、表示部１８の画面上にリストを表示した状態で操作部１４を操作することにより、ユーザが任意に表示順序を変更することも可能である。
【００６０】
図８はステップＳ２５の時間帯別表示処理のための制御部１１による処理手順を示すフローチャートである。前述したように時間帯別表示処理が設定されている状態でユーザが操作部１４を操作することにより「お気に入り」を表示させる指示が入力されると、制御部１１はまず計時部１５の計時値である現在時刻（時，分，秒）を読み込む（ステップＳ４１）。次に制御部１１は、読み込んだ現在時刻で時間帯区分テーブル１９１をサーチして対応する時間帯ＩＤを読み出し（ステップＳ４２）、更にこの読み出した時間帯ＩＤで操作履歴ＤＢ１９４をサーチし、ヒットしたＵＲＬＩＤを計数することによりヒット数順にＵＲＬＩＤをＲＡＭ１７に一時記憶する（ステップＳ４３）。そして制御部１１は一時記憶したヒット数順のＵＲＬＩＤに対応する登録名をヒット数順に登録済みＵＲＬＤＢ１９３から読み出しつつ表示部１８に表示する（ステップＳ４４）。
【００６１】
以上のような処理手順を制御部１１が実行することにより、携帯電話機１の表示部１８には「お気に入り」の表示画面に、現在時刻が含まれる時間帯に過去の１週間又は１ヶ月等の期間において最も多くアクセスされた履歴を有するウェブサイトにリンクした登録名からアクセス回数の多い順に配列されて登録名が表示される。たとえば、毎朝午前７時前後にユーザが「気象情報」と「朝のニュース」のウェブサイトにアクセスしているとすると、毎朝午前７時前後にユーザが携帯電話機１の操作部１４を操作して「お気に入り」を表示する指示を与えることにより、表示部１８には図９（ａ）の模式図に示すように、「気象情報」又は「朝のニュース」のいずれか一方が最上位に、他方がその次にそれぞれ配列された「朝」の時間区分の「お気に入り」が画面１８Ｓに表示されることになる。
【００６２】
なお、同一のユーザが同一の携帯電話機１をたとえば「夜」の時間区分に対応する時刻に操作して「お気に入り」を表示させたとすると、図９（ｂ）の模式図に示すように、「○○駅時刻表」、「××駅バス時刻表」、「○○駅周辺飲食店案内」等の登録名が順に配列された「夜」の時間区分の「お気に入り」が画面１８Ｓに表示されることになる。
【００６３】
図１０はステップＳ２７の位置別表示処理のための制御部１１による処理手順を示すフローチャートである。前述したように位置別表示処理が設定されている状態でユーザが操作部１４を操作することにより「お気に入り」を表示させる指示が入力されると、制御部１１はまず位置検出部１３の検出値である現在位置（経緯度）を読み込む（ステップＳ５１）。次に制御部１１は、読み込んだ現在位置で位置区分テーブル１９２をサーチして対応する位置ＩＤを読み出し（ステップＳ５２）、更にこの読み出した位置ＩＤで操作履歴ＤＢ１９４をサーチし、ヒットしたＵＲＬＩＤを計数することによりヒット数順にＵＲＬＩＤをＲＡＭ１７に一時記憶する（ステップＳ５３）。そして制御部１１は一時記憶したヒット数順のＵＲＬＩＤに対応する登録名をヒット数順に登録済みＵＲＬＤＢ１９３から読み出しつつ表示部１８に表示する（ステップＳ５４）。
【００６４】
以上のような処理手順を制御部１１が実行することにより、携帯電話機１の表示部１８には、現在位置において過去の１週間又は１ヶ月等の期間において最も多くアクセスされた履歴を有するウェブサイトにリンクした登録名からアクセス回数の多い順に配列されて登録名が表示される。たとえば、出勤前にユーザが毎朝自宅で「気象情報」と「朝のニュース」のウェブサイトにアクセスしているとすると、毎朝自宅でユーザが携帯電話機１の操作部１４を操作して「お気に入り」を表示する指示を与えることにより、表示部１８には図１１（ａ）の模式図に示すように、「気象情報」又は「朝のニュース」のいずれか一方が最上位に、他方がその次にそれぞれ配列された「自宅」の位置区分の「お気に入り」が画面１８Ｓに表示されることになる。
【００６５】
なお、同一のユーザが同一の携帯電話機１をたとえば「職場」の位置区分に対応する居所で操作して「お気に入り」を表示させたとすると、図１１（ｂ）の模式図に示すように、「○○駅時刻表」、「○○駅周辺飲食店案内」、「ＹＹ市公共事業入札案内」等の登録名が順に配列された「職場」の位置区分の「お気に入り」が画面１８Ｓに表示されることになる。
【００６６】
図１２はステップＳ２９の時間帯及び位置別表示処理のための制御部１１による処理手順を示すフローチャートである。前述したように時間帯及び位置別表示処理が設定されている状態でユーザが操作部１４を操作することにより「お気に入り」を表示させる指示が入力されると、制御部１１はまず計時部１５の計時値である現在時刻（時，分，秒）及び位置検出部１３の検出値である現在位置（経緯度）を読み込む（ステップＳ６１）。次に制御部１１は、読み込んだ現在時刻で時間帯区分テーブル１９１を、現在位置で位置区分テーブル１９２をそれぞれサーチして対応する時間帯ＩＤ及び位置ＩＤを読み出し（ステップＳ６２）、更にこの読み出した時間帯ＩＤ及び位置ＩＤのＡＮＤ条件で操作履歴ＤＢ１９４をサーチし、ヒットしたＵＲＬＩＤを計数することによりヒット数順にＵＲＬＩＤをＲＡＭ１７に一時記憶する（ステップＳ６３）。そして制御部１１は一時記憶したヒット数順のＵＲＬＩＤに対応する登録名をヒット数順に登録済みＵＲＬＤＢ１９３から読み出しつつ表示部１８に表示する（ステップＳ６４）。
【００６７】
以上のような処理手順を制御部１１が実行することにより、携帯電話機１の表示部１８には「お気に入り」の表示画面に、現在時刻が含まれる時間帯において現在位置で過去の 1週間又は１ヶ月等の期間において最も多くアクセスされた履歴を有するウェブサイトにリンクした登録名からアクセス回数の多い順に登録名が表示される。たとえば、出勤前の午前７時前後にユーザが毎朝自宅で「気象情報」と「朝のニュース」のウェブサイトにアクセスしているとすると、毎朝午前７時前後に自宅でユーザが携帯電話機１の操作部１４を操作して「お気に入り」を表示する指示を与えることにより、表示部１８には図１３（ａ）の模式図に示すように、「気象情報」又は「朝のニュース」のいずれか一方が最上位に、他方がその次にそれぞれ配列された「朝・自宅」の時間区分及び位置区分別の「お気に入り」が画面１８Ｓに表示されることになる。
【００６８】
なお、同一のユーザが同一の携帯電話機１をたとえば「夕方・職場」の時間区分及び位置区分別に対応する時刻及び居所で操作して「お気に入り」を表示させたとすると、図１３（ｂ）の模式図に示すように、「○○駅時刻表」、「○○駅周辺飲食店案内」、「○○駅周辺レストラン案内」等の登録名が順に配列された「乗換駅」の位置区分の「お気に入り」が画面１８Ｓに表示されることになる。
【００６９】
なお、上述の第１の実施の形態では、携帯電話機１をインターネット端末装置として使用する場合について説明したが、その他に携帯型ＰＣ、ＰＡＤ等のような携帯型のインターネット端末装置であってもＧＰＳ等の位置検出装置を位置検出部１３として備えていれば、上述した携帯電話機１と同様の機能を実現することが可能であることは言うまでもない。また、ＧＰＳ等の位置検出装置を有していない携帯型のインターネット端末装置及び据え置き型のパーソナルコンピュータでは位置別表示処理は行なえないが、時間帯別表示処理を行なわせることにより利便性が高まることはいうまでもない。
【００７０】
（第２の実施の形態）
次に本発明の第２の実施の形態について説明する。上述した第１の実施の形態では、インターネット端末装置としての携帯電話機１において全ての手順を処理する構成としてあるが、その内の一部を第２の実施の形態では携帯電話機１とインターネット通信可能なサーバ（中央装置）で処理するように構成する。これにより、本発明に係る登録済みウェブサイトリンクの一覧表示システムが実現される。
【００７１】
図１４は本発明に係る登録済みウェブサイトリンクの一覧表示システムの一構成例としての携帯電話機の内部構成例及びサーバの内部構成例を示すブロック図である。なお本実施の形態では、携帯電話機１には図１に示した第１の実施の形態の構成例の内の不揮発性メモリ１９に操作履歴ＤＢ１９４が存在せず、代わりにサーバ側にユーザ別操作履歴ＤＢ３３１が備えられている。以下、具体的に説明する。
【００７２】
図１４において、携帯電話機１は上述したように、不揮発性メモリ１９に操作履歴ＤＢ１９４が存在しない以外は同一構成である。この携帯電話機１はインターネットＩＮを介してインターネット通信が可能であり、具体的にはサーバ３とインターネット通信を行なう。このサーバ３には、インターネット通信可能な通信部３２と、ＣＰＵ及びＲＯＭ，ＲＡＭ等で構成される制御部３１と、大規模不揮発性記憶装置、たとえばハードディスク装置３３が接続されている。このハードディスク装置３３にユーザ別操作履歴ＤＢ３３１が記憶されている。
【００７３】
ユーザ別操作履歴ＤＢ３３１には、図１５にその登録内容の模式図を示すように、各携帯電話機１のユーザ別に一意に割り当てられたユーザＩＤに対応して各ユーザの図５に示した操作履歴ＤＢ１９４の登録内容と同一の登録内容がそれぞれ登録されている。即ち、第１の実施の形態においてそれぞれの携帯電話機１がそれぞれの操作履歴をそれぞれの操作履歴ＤＢ１９４に登録していたのを、本実施の形態では全ての携帯電話機１の操作履歴をサーバ３のユーザ別操作履歴ＤＢ３３１にユーザ別に登録するように構成されている。このような構成によって、最も記憶容量が必要と考えられる各携帯電話機１での操作履歴を記憶するための記憶容量をそれぞれの携帯電話機１において節約することが可能になる。
【００７４】
図１６は、本実施の形態において、携帯電話機１がウェブサイトにアクセスした場合の制御部１１による処理手順を示すフローチャートであるが、ステップＳ７１からＳ７６までの処理は前述した第１の実施の形態の図６に示したフローチャートのＳ１１からＳ１６までの処理とそれぞれ同一である。ステップＳ７７において、制御部１１は、ユーザＩＤと、アクセスを指定されたＵＲＬと、現在時刻と、これに対応する時間帯ＩＤと、現在位置と、これに対応する位置ＩＤとをサーバ３へ送信する。これを受信したサーバ３では、その制御部３１がユーザ別操作履歴ＤＢ３３１の対応するユーザＩＤの操作履歴に新たなログＩＤを付与して登録する。
【００７５】
図１７は、第１の実施の形態の図８に示したフローチャートと同様に、本実施の形態において携帯電話機１で時間帯別表示処理を行なう際の携帯電話機１の制御部１１及びサーバ３の制御部３１の処理手順を示すフローチャートである。
【００７６】
ユーザが携帯電話機１の操作部１４を操作することにより「お気に入り」を表示させる指示が入力されると、携帯電話機１の制御部１１はまず計時部１５の計時値である現在時刻（時，分，秒）を読み込む（ステップＳ８１）。次に携帯電話機１の制御部１１は、読み込んだ現在時刻で時間帯区分テーブル１９１をサーチして対応する時間帯ＩＤを読み出し（ステップＳ８２）、更にこの読み出した時間帯ＩＤとユーザＩＤとを通信部１２からインターネットＩＮを介してサーバ３へ送信する（ステップＳ８３）。
【００７７】
このようにして携帯電話機１から送信された時間帯ＩＤとユーザＩＤとをインターネットＩＮから通信部３２でサーバ３が受信すると（ステップＳ８４）、サーバ３の制御部３１は受信したユーザＩＤと時間帯ＩＤとでユーザ別操作履歴ＤＢ３３１をサーチし、ヒットしたＵＲＬＩＤを計数することによりヒット数順のＵＲＬＩＤのリストを生成する（ステップＳ８５）。次にサーバ３の制御部３１は、生成したリストをユーザＩＤに対応する端末装置（携帯電話機１）へ通信部３２から送信する（ステップＳ８６）。
【００７８】
このようにしてサーバ３から送信されたリストを携帯電話機１が受信すると（ステップＳ８７）、携帯電話機１の制御部１１は、受信したリストのＵＲＬＩＤに対応する登録名をリスト順に登録済みＵＲＬＤＢ１９３から読み出しつつ表示部１８に表示する（ステップＳ８８）。
【００７９】
以上のような処理手順を携帯電話機１の制御部１１及びサーバ３の制御部３１が実行することにより、携帯電話機１の表示部１８には、現在時刻が含まれる時間帯に最も多くアクセスされた履歴を有するウェブサイトリンクからアクセス回数の順にウェブサイトのリンクする登録名が表示される。たとえば、毎朝午前７時前後にユーザが「気象情報」と「朝のニュース」のウェブサイトにアクセスしているとすると、毎朝午前７時前後にユーザが携帯電話機１の操作部１４を操作して「お気に入り」を表示する指示を与えることにより、前述の図９（ａ）に示した模式図と同様に、表示部１８には「気象情報」又は「朝のニュース」のいずれか一方が最上位に、他方がその次にそれぞれ配列された「お気に入り」画面が表示されることになる。
【００８０】
なお上述の図１７に示したフローチャートは「時間帯別表示処理」の処理手順であるが、他の「位置別表示処理」及び「時間帯及び位置別表示処理」に関しても、携帯電話機１からユーザＩＤ及び時間帯ＩＤをサーバ３へ送信する代わりに、「位置別表示処理」の場合はユーザＩＤ及び位置ＩＤを、「時間帯及び位置別表示処理」の場合はユーザＩＤ、時間帯ＩＤ及び位置ＩＤをそれぞれサーバ３へ送信すれば、同様に「お気に入り」の表示処理が携帯電話機１において行なわれることはいうまでもない。
【００８１】
（第３の実施の形態）
次に本発明の第３の実施の形態について説明する。上述した第２の実施の形態では、携帯電話機１において「お気に入り」の表示処理が指示された場合に「お気に入り」として表示すべき登録名をサーバ３から携帯電話機１へ送信する構成としてあるが、「お気に入り」として表示すべき登録名を予めバックグラウンド処理としてサーバ３から携帯電話機１へ送信しておくように構成することも可能である。第２の実施の形態の場合では、携帯電話機１において「お気に入り」の表示を指示した時点から実際に表示が行なわれるまでにある程度の時間を要することになるが、以下のような第３の実施の形態においては携帯電話機１で「お気に入り」の表示を指示した時点で直ちに表示部１８に表示させることが可能になる。以下、具体的に説明する。
【００８２】
図１８は「時間帯別表示処理」のためのバックグラウンド処理の携帯電話機１の制御部１１及びサーバ３の制御部３１による処理手順を示すフローチャートである。
【００８３】
携帯電話機１では制御部１１が操作部１４の操作入力、即ちユーザが何らかの操作入力を操作部１４に対して行なうか、計時部１５の計時値（現在時刻）と時間帯区分テーブル１９１に記憶されている各時間帯別の時刻範囲とを比較することにより、時間帯区分が変わるまで待機している（ステップＳ９１及びＳ９２でＮＯ）。時間帯区分が変わると（ステップＳ９１でＮＯ、Ｓ９２でＹＥＳ）、携帯電話機１の制御部１１は計時部１５の計時値（現在時刻）に対応する時間帯ＩＤを時間帯区分テーブル１９１から読み出し、この時間帯ＩＤとユーザＩＤとを通信部１２からインターネットＩＮを介してサーバ３へ送信する（ステップＳ９３）。
【００８４】
このようにして携帯電話機１から送信された時間帯ＩＤとユーザＩＤとをサーバ３がインターネットＩＮを介して通信部３２で受信すると（ステップＳ９４）、サーバ３の制御部３１は受信したユーザＩＤと時間帯ＩＤとでユーザ別操作履歴ＤＢ３３１をサーチし、ヒットしたＵＲＬＩＤを計数することによりヒット数順のＵＲＬＩＤのリストを生成する（ステップＳ９５）。次にサーバ３の制御部３１は、生成したリストをユーザＩＤに対応する端末装置（携帯電話機１）へ通信部３２からインターネットＩＮを介して送信する（ステップＳ９６）。
【００８５】
このようにしてサーバ３から送信されたリストを携帯電話機１がインターネットＩＮから通信部１２で受信すると、携帯電話機１の制御部１１は、受信したリストをたとえばＲＡＭ１７に一時記憶する（ステップＳ９７）。この後、携帯電話機１の制御部１１はステップＳ９１へ処理を戻して操作部１４の操作入力、又は時間帯区分が変わるまで待機する。
【００８６】
一方、操作入力があった場合には（ステップＳ９１でＹＥＳ）、「お気に入り」の表示を指示する操作であるか否かを判断する（ステップＳ９８）。操作入力が「お気に入り」の表示を指示する操作ではなかった場合は（ステップＳ９８でＮＯ）、携帯電話機１の制御部１１は操作入力に応じた処理を実行し（ステップＳ９９）、前述同様にステップＳ９１へ処理を戻す。操作入力が「お気に入り」の表示を指示する操作であった場合は（ステップＳ９８でＹＥＳ）、携帯電話機１の制御部１１はＲＡＭ１７に一時記憶してあるリストのＵＲＬＩＤに対応する登録名をリスト順に登録済みＵＲＬＤＢ１９３から読み出しつつ表示部１８に表示する（ステップＳ１００）。
【００８７】
以上のような処理手順を携帯電話機１の制御部１１及びサーバ３の制御部３１が実行することにより、携帯電話機１のＲＡＭ１７には時間帯区分が変わる都度、現在時刻に対応する時間帯に応じたＵＲＬＩＤのリストがサーバ３から送信されて記憶されているので、その都度サーバ３へのアクセスを行なう必要なしに直ちに「お気に入り」を表示することが可能になる。
【００８８】
なお、上述の実施の形態では、サーバ３から携帯電話機１へ送信されたＵＲＬＩＤのリストをＲＡＭ１７に記憶しておき、必要に応じて登録済みＵＲＬＤＢ１９３をサーチして登録名を表示するようにしているが、ＵＲＬＩＤのリストを受信した時点で登録済みＵＲＬＤＢ１９３をサーチして登録名を読み出し、この読み出した登録名をＲＡＭ１７に記憶しておくようにしてもよい。
【００８９】
なお上述の図１８に示したフローチャートは「時間帯別表示処理」の処理手順であるが、「位置別表示処理」に関しては携帯電話機１の現在位置（即ちユーザの所在位置）の変化に伴なって位置区分が変化する都度、ユーザＩＤと位置ＩＤとをサーバへ送信することにより、また「時間帯及び位置別表示処理」に関しては時間帯区分又は携帯電話機１の現在位置（即ちユーザの所在位置）の変化に伴なって位置区分が変化する都度、ユーザＩＤと時間帯ＩＤと位置ＩＤとをサーバへ送信することにより、同様に「お気に入り」の表示処理が携帯電話機１において行なわれることはいうまでもない。
【００９０】
（他の実施の形態）
上述の第２、第３の実施の形態においては、第１の実施の形態において携帯電話機１側に存在する操作履歴ＤＢ１９４をサーバ３側にユーザ別操作履歴ＤＢ３３１として備えさせることにより、各携帯電話機１での操作履歴ＤＢ１９４に必要な記憶容量を節約するように構成している。しかし、時間帯区分テーブル１９１、位置区分テーブル１９２、登録済みＵＲＬＤＢ１９３及び操作履歴ＤＢ１９４の全てをユーザＩＤに対応付けてサーバ３側に備える構成を採ることも可能である。
【００９１】
このような構成を採った場合には、各携帯電話機１でウェブサイトへのアクセスが行なわれる都度、その操作履歴（ユーザＩＤ，アクセス時刻，現在位置）がサーバへ送信されて登録され、各携帯電話機１において「お気に入り」を表示させる操作が行なわれた場合にはユーザＩＤがサーバ３へ送信されて「お気に入り」として表示すべきウェブサイトリンクのリストが上述の各実施の形態のいずれかの処理手順と同様の手順でサーバ３側で生成されて携帯電話機１へ送信される。そして、各携帯電話機１ではサーバ３から受信したウェブサイトリンクのリストを「お気に入り」として表示部１８に表示するのみの処理でよいことになるので、各携帯電話機１での処理負担が軽減される。
【００９２】
なお、上述した各実施の形態においても、インターネット端末装置として携帯電話機を使用した例を示したが、パーソナルコンピュータ，ＰＤＡ等を利用することも勿論可能である。また、ＧＰＳ等の位置検出装置を有していない携帯型のインターネット端末装置及び据え置き型のパーソナルコンピュータでは位置別表示処理は行なえないが、時間帯別表示処理を行なわせることにより利便性が高まることはいうまでもない。
【００９３】
ところで、図９（ａ）の模式図において、「気象情報」及び「朝のニュース」の登録名に「ＮＥＷ」と付加されている。これは、たとえば「気象情報」のウェブサイトをユーザ、具体的にはユーザが使用している携帯電話機１から前回アクセスした時点以降においてその内容が更新されていることを意味する。より具体的には、ウェブサイト自体がその内容が更新された場合の更新時刻の情報を開示しており、外部からそのウェブサイトにアクセスした場合にそのような更新時刻の情報を取得することが可能なウェブサイトを対象としている。
【００９４】
たとえば図４にその登録内容を示した登録済みＵＲＬＤＢ１９３の登録内容には「更新時刻情報」が各ＵＲＬに対応して登録されている。これらの更新時刻情報は上述したように各ウェブサイトにアクセスすることにより取得可能にそれぞれのウェブサイトが構成されている場合に、携帯電話機１の制御部がバックグラウンド処理として登録済みＵＲＬＤＢ１９３に登録されている各ＵＲＬを定期的にアクセスして取得し、前回取得した更新時刻情報と異なる場合にはそのウェブサイトの内容が更新されたものと見なして、「ＮＥＷフラグ」を「１」にセットしておく。そして、「ＮＥＷフラグ」が「１」にセットされているウェブサイトの登録名が「お気に入り」にリスト表示される際には登録名に付加して「ＮＥＷ」が自動的に付加されるように構成されている。
【００９５】
このような構成を採ることにより、ユーザにとっては「ＮＥＷ」が付加されていることを確認した上でアクセスすることにより、前回閲覧した内容が更新されているウェブサイトのみを閲覧することが可能になり、同一の内容を何度も閲覧するという無駄な行為を行なわずに済むことになる。
【００９６】
以上に詳述したように、本発明によれば、多数のウェブサイトへのリンクの登録名をユーザの行動パターンに応じて時間帯別、位置別等に分類してその時点の時間帯、居所に応じて選択的に「お気に入り」として表示することが可能になるので、ユーザは無駄な操作を行なう必要なしにその時点の時間帯、居所に対応してアクセス頻度が高いウェブサイトを容易に選択することが可能になる。
【図面の簡単な説明】
【００９７】
【図１】本発明に係るインターネット端末装置の一構成例として端末装置側で全ての処理を実行するように構成した場合の端末装置の一例としての携帯電話機の内部構成例を示すブロック図である。
【図２】本発明に係るインターネット端末装置の時間帯区分テーブルの記憶内容を示す模式図である。
【図３】本発明に係るインターネット端末装置の位置区分テーブルの記憶内容を示す模式図である。
【図４】本発明に係るインターネット端末装置の登録済みＵＲＬデータベースの登録内容を示す模式図である。
【図５】本発明に係るインターネット端末装置の操作履歴データベースの登録内容を示す模式図である。
【図６】本発明に係るインターネット端末装置の携帯電話機がウェブサイトにアクセスした場合の携帯電話機の制御部による処理手順を示すフローチャートである。
【図７】本発明に係るインターネット端末装置の「お気に入り」を携帯電話機の表示部に表示させる際の携帯電話機の制御部による処理手順のメインルーチンを示すフローチャートである。
【図８】本発明に係るインターネット端末装置の時間帯別表示処理のための携帯電話機の制御部による処理手順を示すフローチャートである。
【図９】本発明に係るインターネット端末装置の時間帯別表示処理による「お気に入り」の表示状態を示す模式図である。
【図１０】本発明に係るインターネット端末装置の位置別表示処理のための携帯電話機の制御部による処理手順を示すフローチャートである。
【図１１】本発明に係るインターネット端末装置の位置別表示処理による「お気に入り」の表示状態を示す模式図である。
【図１２】本発明に係るインターネット端末装置の一覧表示システムの時間帯及び位置別表示処理のための携帯電話機の制御部による処理手順を示すフローチャートである。
【図１３】本発明に係るインターネット端末装置の時間帯及び位置別表示処理による「お気に入り」の表示状態を示す模式図である。
【図１４】本発明に係る登録済みウェブサイトリンクの一覧表示システムの一構成例としての携帯電話機の内部構成例及びサーバの内部構成例を示すブロック図である。
【図１５】本発明に係る登録済みウェブサイトリンクの一覧表示システムのユーザ別操作履歴データベースの登録内容を示す模式図である。
【図１６】本発明に係る登録済みウェブサイトリンクの一覧表示システムにおいて、携帯電話機がウェブサイトにアクセスした場合の携帯電話機の制御部による処理手順を示すフローチャートである。
【図１７】本発明に係る登録済みウェブサイトリンクの一覧表示システムにおいて携帯電話機で時間帯別表示処理を行なう際の携帯電話機の制御部及びサーバの制御部の処理手順を示すフローチャートである。
【図１８】本発明に係る登録済みウェブサイトリンクの一覧表示システムにおいて「時間帯別表示処理」のためのバックグラウンド処理の携帯電話機の制御部及びサーバの制御部による処理手順を示すフローチャートである。
【符号の説明】
【００９８】
１  携帯電話機
３  サーバ
１１  制御部
１２  通信部
１３  位置検出部
１４  操作部
１５  計時部
１６  ＲＯＭ
１７  ＲＡＭ
１８  表示部
１９  不揮発性メモリ
３１  制御部
３２  通信部                                                                    ３３  ハードディスク装置
３３１  ユーザ別操作履歴データベース
１９１  時間帯区分テーブル
１９２  位置区分テーブル
１９３  登録済みＵＲＬデータベース
１９４  操作履歴データベース
１９５  「お気に入り」プログラム
【図１】
2006134270.tif 000003
【図２】
2006134270.tif 000004
【図３】
2006134270.tif 000005
【図４】
2006134270.tif 000006
【図５】
2006134270.tif 000007
【図６】
2006134270.tif 000008
【図７】
2006134270.tif 000009
【図８】
2006134270.tif 000010
【図９】
2006134270.tif 000011
【図１０】
2006134270.tif 000012
【図１１】
2006134270.tif 000013
【図１２】
2006134270.tif 000014
【図１３】
2006134270.tif 000015
【図１４】
2006134270.tif 000016
【図１５】
2006134270.tif 000017
【図１６】
2006134270.tif 000018
【図１７】
2006134270.tif 000019
【図１８】
2006134270.tif 000020